(57)【特許請求の範囲】
【請求項１】
液体が貯留された貯留部（71）と、
上記貯留部（71）内に連通するノズル（72）と、
上記貯留部（71）内の液体を上記ノズル（72）の先端に搬送する液体搬送部（40）と、
上記貯留部（71）内の液体に電圧を印加する電圧印加部（50）と、
上記電圧印加部（50）の印加電圧の極性を正極性と負極性とに交互に切り換える電源制御部（62）と、
上記電圧印加部（50）の印加電圧の極性が切り換わる直前に、上記ノズル（72）からの液体の噴霧を一時的に停止させる停止制御部（64）とを備えていることを特徴とする静電噴霧装置。
【請求項２】
請求項１において、
上記停止制御部（64）は、上記電圧印加部（50）の印加電圧の極性が切り換わる直前に、該電圧印加部（50）の印加電圧を一時的にゼロとすることを特徴とする静電噴霧装置。
【請求項３】
請求項１において、
上記停止制御部（64）は、上記電圧印加部（50）の印加電圧の極性が切り換わる直前に、上記液体搬送部（40）によるノズル（72）先端への液体の搬送を一時的に停止させることを特徴とする静電噴霧装置。
【発明の詳細な説明】
【技術分野】
【０００１】
本発明は、静電噴霧装置に関し、特に噴霧液の無駄な消費を防止する対策に係るものである。
【背景技術】
【０００２】
従来より、ノズルの先端に搬送した液体を電界強度を利用して噴霧させる静電噴霧装置が知られている。
【０００３】
特許文献１には、この種の静電噴霧装置が開示されている。静電噴霧装置は、液体が貯留される容器と、この容器と連通するノズルと、ノズルの先端に電圧を印加する電圧印加部とを備えている。特許文献１の静電噴霧装置では、ゼンマイのバネ力によって容器が加圧され、容器内の液体がノズルの先端に搬送される。この状態で、電圧印加部がノズル先端に電圧を印加することで、ノズル先端から液体が噴霧される。ノズル先端から噴霧された液体は、噴霧対象物に対して電気的に誘引され、この噴霧対象物へ供給される。
【０００４】
ところで、この種の静電噴霧装置では、ノズルから噴霧された液体によって、噴霧対象物が正又は負の電荷に帯電していく。このようにして、噴霧対象物に一方の電荷ばかりが帯電してしまうと、噴霧された液体と噴霧対象物との間の電位差が小さくなり、噴霧液を噴霧対象物へ誘引して供給することが困難となる。また、噴霧対象物に電荷が蓄積することで、最終的には噴霧対象物で放電現象が生ずる虞もある。
【０００５】
そこで、特許文献１の静電噴霧装置では、正極性の電圧と負極性の電圧を交互にノズルに印加するようにしている。これにより、ノズル先端からは、正の電荷を帯びた液体と負の電荷を帯びた液体とが、交互に噴霧される。その結果、噴霧対象物に一方の極性の電荷が蓄積してしまうことを防止している。
【先行技術文献】
【特許文献】
【０００６】
【特許文献１】特開２０１０−１５５２００号公報
【発明の概要】
【発明が解決しようとする課題】
【０００７】
特許文献１の静電噴霧装置では、電圧の極性を切り換える際に、異常な噴霧動作が行われることを防止するために、印加電圧を段階的に変更するようにしていた。より詳細には、特許文献１の電圧印加部は、まず、＋６ｋＶの電圧を数秒印加した後、＋４ｋＶの電圧を数秒印加する。その後、−６ｋＶの電圧を数秒印加した後、−４ｋＶの電圧を数秒印加する。以上のように、特許文献１の静電噴霧装置では、正極性の電圧と負極性の電圧とを切り換える際、この電圧を瞬時に切り換えるのではなく、段階的に切り換えることで、異常な噴霧動作の発生を防止しようとしていた。
【０００８】
しかしながら、特許文献１に開示の制御を行っても、なお、印加電圧の極性を切り換える際には、異常な噴霧動作が発生することがあった。その結果、噴霧液を噴霧対象物へ確実に誘引することができないことがあり、印加電圧の極性の切換毎に噴霧液を無駄に消費してしまうという問題が生じていた。
【０００９】
本発明は、かかる点に鑑みてなされたものであり、その目的は、噴霧液を噴霧対象物へ確実に供給でき、噴霧液の無駄な消費を防止できる静電噴霧装置を提供することである。
【課題を解決するための手段】
【００１０】
第１の発明は、静電噴霧装置を対象とし、液体が貯留された貯留部（71）と、貯留部（71）内に連通するノズル（72）と、貯留部（71）内の液体を上記ノズル（72）の先端に搬送する液体搬送部（40）と、貯留部（71）内の液体に電圧を印加する電圧印加部（50）と、電圧印加部（50）の印加電圧の極性を正極性と負極性とに交互に切り換える電源制御部（62）と、電圧印加部（50）の印加電圧の極性が切り換わる直前に、上記ノズル（72）からの液体の噴霧を一時的に停止させる停止制御部（64）とを備えていることを特徴とする。
【００１１】
第１の発明では、液体搬送部（40）によって貯留部（71）内の液体がノズル（72）の先端に搬送される。この状態で、電圧印加部（50）が貯留部（71）内に液体に電圧を印加することで、ノズル（72）の先端の液体にも電圧が付与される。その結果、ノズル（72）の先端で電界が形成され、ノズル（72）の先端の液体が噴霧される。この際、電源制御部（62）は、電圧印加部（50）の印加電圧を正極性と負極性とに交互に切り換える。従って、ノズル（72）からは、正の電荷を帯びた噴霧液と、負の電荷を帯びた噴霧液とが、交互に噴霧される。その結果、噴霧対象物に一方の電荷のみが帯電していくのを防止できる。
【００１２】
従来は、このように印加電圧を正極性と負極性とに切り換える際、異常な噴霧動作が生じていた。この点について詳細に説明する。
【００１３】
電圧印加部の印加電圧を正極性と負極性とに交互に切り換える際、この極性を瞬時に切り換えたとする。この場合には、ノズル（72）から例えばプラス電荷の液体が空気中に噴出された後、すぐにマイナス電荷の液体が空気中に噴出されることになる。このため、後から噴出されたマイナス電荷の液体は、既に噴出されていたプラス電荷の液体に誘引され、電気的に中和されてしまう。このように噴霧液が中和されると、この液体は噴霧対象物へ電気的に誘引されることなく、指向性を失ってしまう。よって、印加電圧の極性を切り換える際には、このような噴霧液の中和に起因して噴霧液を無駄に消費してしまうことがあった。
【００１４】
これは、従来例（特許文献１）の静電噴霧装置においても同様である。つまり、特許文献１の静電噴霧装置では、印加電圧を段階的に切り換えることで、正極性の電圧と負極性の電圧との電位差を小さくしていた。しかしながら、この構成においても、例えば＋６ｋＶの印加電圧を＋４ｋＶとした後、印加電圧を−６ｋＶとするため、プラス電荷の液体が噴出された後、すぐにマイナス電荷の液体が噴出されてしまう。従って、特許文献１に開示の静電噴霧装置においても、液体の中和を避けることはできず、噴霧液を確実に噴霧対象物へ供給することが困難であった。
【００１５】
そこで、第１の発明の静電噴霧装置には、印加電圧の極性を切り換える際、空気中で噴霧液が中和してしまうのを防止するために、停止制御部（64）が設けられている。この停止制御部（64）は、印加電圧の極性が切り換わる直前に、ノズル（72）からの液体の噴霧を一時的に停止させる。これにより、この停止期間中において、一方の極性（例えばプラスの極性）の液体を、噴霧対象物へ到達させることができる。この停止期間の後には、他方の極性（例えばマイナスの極性）の液体がノズル（72）から噴霧される。この際、空気中には、一方の極性（例えばプラスの極性）の液体が残存していない。従って、他方の極性（例えばマイナスの極性）の液体が、一方の極性（例えばプラスの極性）に誘引されて中和されてしまうことがない。その結果、本発明では、空気中で噴霧液が中和されることを回避できる。
【００１６】
第２の発明は、第１の発明において、上記停止制御部（64）は、上記電圧印加部（50）の印加電圧の極性が切り換わる直前に、該電圧印加部（50）の印加電圧を一時的にゼロとすることを特徴とする。
【００１７】
第２の発明の停止制御部（64）は、印加電圧の切換直前に、この印加電圧を一時的にゼロとする。これにより、ノズル（72）からの液体の噴霧が、電気的な制御によって停止される。
【００１８】
第３の発明は、第１の発明において、上記停止制御部（64）は、上記電圧印加部（50）の印加電圧の極性が切り換わる直前に、上記液体搬送部（40）によるノズル（72）先端への液体の搬送を一時的に停止させることを特徴とする。
【００１９】
第３の発明の停止制御部（64）は、印加電圧の切換直前に、液体搬送部（40）によるノズル（72）先端への液体の搬送を一時的に停止する。これにより、ノズル（72）からの液体の噴霧が、機械的な制御によって停止される。
【発明の効果】
【００２０】
本発明によれば、電圧印加部（50）の印加電圧の極性を切り換える直前に、ノズル（72）からの液体の噴霧を一時的に停止させるようにしている。このため、本発明では、一方の電荷に帯電した噴霧液を噴霧対象物へ確実に到達させてから、他方の電荷に帯電した液体をノズル（72）から噴霧できるため、空気中で噴霧液が中和してしまうのを防止できる。従って、噴霧液を確実に噴霧対象物へ誘引して供給できるとともに、噴霧液の無駄な消費も抑えられる。
【００２１】
第２の発明では、電圧印加部（50）の印加電圧の極性を切り換える直前に、この印加電圧をゼロとすることで、比較的容易な制御によってノズル（72）からの液体の噴霧を迅速に防止できる。また、第３の発明では、液体搬送部（40）による液体の供給を停止させることで、ノズル（72）からの液体の噴霧を確実に防止できる。
【図面の簡単な説明】
【００２２】
【図１】図１は、実施形態に係る静電噴霧装置の全体を示す斜視図である。
【図２】図２は、実施形態に係る静電噴霧装置を示す縦断面図である。
【図３】図３は、実施形態に係る静電噴霧装置のシステム構成を示す図である。
【図４】図４は、実施形態に係る静電噴霧装置の上部を示す斜視図である。
【図５】図５は、実施形態に係る静電噴霧装置のトップカバーの内部構造を示す図である。
【図６】図６は、実施形態に係る静電噴霧装置の内部構造を示す斜視図である。
【図７】図７は、実施形態に係る搬送ユニットの構成を示す図である。
【図８】図８は、実施形態に係る噴霧カートリッジを示す縦断面図である。
【図９】図９は、実施形態に係る噴霧カートリッジの正面図である。
【図１０】図１０は、実施形態に係る静電噴霧装置の交番制御時の印加電圧、及びポンプ動作の変化を示すタイムチャートである。
【発明を実施するための形態】
【００２３】
以下、本発明の実施形態を図面に基づいて詳細に説明する。
【００２４】
図１〜図３に示すように、本実施形態の静電噴霧装置（1）は、事務所等の卓上に設置され、噴霧させる溶液に正、又は負極性の電荷を付与し、ユーザに対して噴霧させるものである。尚、この噴霧させる溶液はヒアルロン酸等を含んだ液体であって、本発明に係る液体を構成している。この静電噴霧装置（1）は、ケーシング（10）と、該ケーシングに着脱自在に装着される噴霧カートリッジ（70）と、ケーシング（10）内に収容される搬送ユニット（40）と、溶液に対して電圧を印加する高電圧電源ユニット（50）と、電源となるアダプタ（2）と、静電噴霧装置（1）の運転制御を行うコントローラ（60）とを備えている。
【００２５】
上記ケーシング（10）は、縦長に形成された有底円筒状の部材である。ケーシング（10）は、側方部を形成するデザインカバー（10a）と、底部を形成する底カバー（10b）と、上部を形成するトップカバー（11）とから構成されている。尚、本実施形態では、溶液の噴霧方向を前面側とし、噴霧方向の背後方向を背面側としている。
【００２６】
上記トップカバー（11）は、デザインカバー（10a）の上部の開口端を塞ぐものである。トップカバー（11）は、図４に示すように、その上面が背面側から前面側へ向かって斜め下方向へ傾斜して形成されている。そして、トップカバー（11）の概ね前面側には、噴霧カートリッジ（70）のノズル（72）を露出させるための噴霧開口部（14）が形成されている。噴霧開口部（14）の周縁部には、スライド可能なシャッタ（13）が取り付けられている。このシャッタ（13）は、図５に示すように、前面側にスライドさせると閉じられる一方、背面側にスライドさせると開くように構成されている。
【００２７】
また、トップカバー（11）には、噴霧動作のＯＮ／ＯＦＦを行う動作スイッチ（15）が設けられている。シャッタ（13）が背面側（シャッタ（13）を開く方向）に移動することでシャッタ（13）の側部（13a）が動作スイッチ（15）を下方に押すことで動作スイッチ（15）がＯＮになる。つまり、シャッタ（13）は動作スイッチ（15）のＯＮ／ＯＦＦを切り換えるためのプッシャを構成している。動作スイッチ（15）がＯＮになると、後述するコントローラ（60）は静電噴霧装置（1）の噴霧動作を開始させる。また、背面側に移動したシャッタ（13）は、下側からバネ（図示なし）によって付勢され、トップカバー（11）に保持されている。
【００２８】
一方、シャッタ（13）が前面側（シャッタ（13）を閉じる方向）に移動することで、シャッタ（13）の側部（13a）が動作スイッチ（15）から離間して動作スイッチ（15）がＯＦＦになる。動作スイッチ（15）がＯＦＦになると、コントローラ（60）は静電噴霧装置（1）の噴霧動作を停止させる。すなわち、本実施形態の静電噴霧装置（1）は、ユーザがシャッタ（13）をスライドさせることで噴霧動作のＯＮ／ＯＦＦを制御できるように構成されている。
【００２９】
上記トップカバー（11）とデザインカバー（10a）との間には、周方向に亘って帯状の対向電極（12）が設けられている。この対向電極（12）は、ノズル（72）の先端との間で電界を発生させるためのものである。本実施形態の静電噴霧装置（1）は、ノズル（72）の先端の電荷を帯びた溶液と対向電極（12）の間の電位差で発生する電界によって、ノズル（72）の先端から吐出される溶液を糸状に絞り込んで液糸（リガメント）を形成している。
【００３０】
図６に示すように、上記デザインカバー（10a）の背面側には、上部機械室（28）に対応する高さ位置に、噴霧カートリッジ（70）を着脱させるための背面開口部（16）が形成されている。背面開口部（16）は略矩形状に形成され、その周縁部にはデザインカバー（10a）に着脱自在なリアカバー（17）が取り付けられている。
【００３１】
上記ケーシング（10）は、その内部に下側ベース（21）と上側ベース（22）と仕切板（23）とを備えている。まず、下側ベース（21）はケーシング（10）内の底部寄りに設けられている。また、上側ベース（22）はケーシング（10）の長手方向の概ね中央に設けられている。各ベース（21,22）は、水平方向に延びてケーシング（10）内を上下に区画している。また、上記仕切板（23）は、下側ベース（21）と上側ベース（22）との間に亘って設けられ、ケーシング（10）の内部における、下側ベース（21）と上側ベース（22）との間の空間を前後に区画している。
【００３２】
上記下側ベース（21）と上側ベース（22）との間には、中央機械室（24）が区画されている。そして、中央機械室（24）は、上述した仕切板（23）により、前面側の第１中央機械室（25）と背面側の第２中央機械室（26）とに区画されている。また、下側ベース（21）の下方に下部機械室（27）が区画され、上側ベース（22）の上方に上部機械室（28）が区画されている。
【００３３】
上記下部機械室（27）には、温湿度センサ（29）と、人検知センサ（30）と、ＵＳＢ基板（31）とが収容されている。
【００３４】
上記温湿度センサ（29）は、静電噴霧装置（1）の設置された部屋の温湿度を検知するセンサである。この温湿度センサ（29）は、コントローラ（60）に接続され、検知した温湿度データは随時、コントローラ（60）に送られている。
【００３５】
上記人検知センサ（30）は、静電噴霧装置（1）の噴霧対象となるユーザの有無を検知するためのものである。人検知センサ（30）は、例えば焦電型赤外線センサに構成されている。人検知センサ（30）は、下部機械室（27）内の前面側に収容されている。そして、人検知センサ（30）は、そのセンサ面をケーシング（10）の開口を介して前面側の斜め上方向を向くように配置されている。また、人検知センサ（30）のセンサ面の下半分は、マスク部材でマスクされている。これにより、検知範囲が静電噴霧装置（1）の前面側の上部に限定され、人の有無の検知精度を向上させることができる。人検知センサ（30）は、コントローラ（60）に接続され、検知データは随時、コントローラ（60）に送られている。
【００３６】
上記ＵＳＢ基板（31）は、ＵＳＢ（ユニバーサル・シリアル・バス、以下同じ）のコネクタ（3）が挿入されるものである。このＵＳＢ基板（31）は、下部機械室（27）の底部に配置されている。ＵＳＢ基板（31）には、ＵＳＢのコネクタ（3）が接続される接続部（32）を備えている。
【００３７】
本実施形態に係る静電噴霧装置（1）は、家庭用の交流電源（いわゆるコンセント）から供給される１００Ｖの交流電圧を、アダプタ（2）で５Ｖの直流電圧に変換し、これを搬送ユニット（40）や高電圧電源ユニット（50）の電源として使用している。具体的には、アダプタ（2）と静電噴霧装置（1）とは、ＵＳＢケーブルを介してＵＳＢのコネクタ（3）が接続部（32）に挿入されることで接続されている。尚、静電噴霧装置（1）の電源としては上記アダプタ（2）に限られず、例えばパソコン等のＵＳＢや自動車中のシガーソケット等を電源としてもよい。
【００３８】
上記搬送ユニット（40）は、図３及び図７に示すように、後述する噴霧カートリッジ（70）のタンク（71）内に空気を送り込むことで、空気圧によってタンク（71）内の溶液を押し出すためのものであって、本発明に係る液体搬送部を構成している。上記搬送ユニット（40）は、エアポンプ（41）と圧力センサ（43）と空気管（42）とを備えている。
【００３９】
上記エアポンプ（41）は、タンク（71）内に空気を送り込むためポンプである。エアポンプ（41）は、ダイアフラムポンプで構成され、下部機械室（27）内に収容されている。下部機械室（27）内では、エアポンプ（41）は下側ベース（21）の下部にポンプホルダ（図示なし）によって固定されている。
【００４０】
上記空気管（42）は、エアポンプ（41）の空気をタンク（71）内に送るためのものである。空気管（42）は、下部機械室（27）から上部機械室（28）まで延びるチューブによって構成されている。空気管（42）は、一端がエアポンプ（41）に接続され、他端がタンク（71）の吸入口（79）に接続されている。
【００４１】
上記圧力センサ（43）は、エアポンプ（41）から送られる空気の圧力（空気圧）を検出するものである。圧力センサ（43）は、第２中央機械室（26）内に収容された制御基板（61）に設けられ、空気管（42）を流れる空気の圧力を検出するように構成されている。また、圧力センサ（43）はコントローラ（60）に接続されており、検知した圧力データは随時、コントローラ（60）に送られる。
【００４２】
上記高電圧電源ユニット（50）は、図３に示すように、電極部材（84）を介してタンク（71）内の溶液に正、又は負極性の高電圧を印加する電圧印加部を構成している。この高電圧電源ユニット（50）は、出力部（51）と接地部（55）とを備えている。
【００４３】
上記出力部（51）は、上記アダプタ（2）から供給された電圧（＋５Ｖ）を高電圧に昇圧して出力させるためのものである。この出力部（51）は、第１中央機械室（25）内に収容された基板（52）上にトランジスタ（図示なし）、トランス（53）、及びダイオード等の電子機器を備えて構成されている。そして、出力部（51）は、アダプタ（2）から供給された電圧（＋５Ｖ）を＋３ｋＶから＋５ｋＶの間、又は−４ｋＶから−７ｋＶの間の高電圧に昇圧させる。そして、出力部（51）は、その出力端子に高圧ライン（54）の他端が接続され、高圧ライン（54）及び電極部材（84）を介してタンク（71）内の溶液に高電圧が印加されるよう構成されている。尚、出力部（51）は出力させる電圧の極性を切換可能に構成されている。上記接地部（55）は、接地され、出力部（51）に対するグランドを構成している。接地部（55）は、接地ライン（56）を介して対向電極（12）に接続されている。
【００４４】
上記噴霧カートリッジ（70）は、図８及び図９に示すように、貯留した溶液に電荷を付与して噴霧させるためのものである。この噴霧カートリッジ（70）は、タンク（71）と電極部材（84）とノズル（72）とノズルベース（74）と把手部（86）とで構成され、各構成部材は、分離不能（不可分）に一体形成されている。すなわち、タンク（71）内の溶液が少なくなったり、無くなった場合は、全ての構成部材が同時に交換される。
【００４５】
上記タンク（71）は、溶液を内部に貯留するための容器であって、本発明に係る貯留部を構成している。具体的に、タンク（71）は、略矩形状の箱体に形成されて噴霧カートリッジ（70）の下部を構成している。このタンク（71）は、その底部が背面側に向かって下方に傾斜する底板（71b）に形成されている。このため、タンク（71）は背面側に最深部が形成される。これにより、ケーシング（10）が転倒した場合にも、タンク（71）内の溶液は再び最深部に集まる。
【００４６】
上記ノズルベース（74）は、ノズル（72）を保持するための部材である。ノズルベース（74）は、略円筒状に形成され、タンク（71）の首部材（71a）を介してタンク（71）と一体に形成されている。上記ノズルベース（74）は、内側凹部（75）と外側凹部（82）とが形成されている。
【００４７】
上記内側凹部（75）は、ノズルベース（74）の内側端に形成された凹部である。内側凹部（75）は、底部の中央に軸方向の内側に突出した保持部（77）が形成されている。保持部（77）には、ノズル（72）が挿通される貫通孔（78）が形成されている。そして、保持部（77）の周囲には、チャンバ（81）が取り付けられている。このチャンバ（81）は、内側凹部（75）の内壁（76）と保持部（77）との間の隙間（85）の一部を埋めるスペーサ部材を構成している。上記隙間（85）の一部をチャンバ（81）が埋めることで、タンク（71）内の溶液が隙間（85）に侵入するのを防止している。また、内側凹部（75）の内壁（76）には、空気管（42）の他端が接続される吸入口（79）が形成されている。
【００４８】
上記外側凹部（82）は、ノズルベース（74）の外側端に形成された凹部である。外側凹部（82）の内壁（83）は、ノズル（72）の露出部（72b）を覆うように形成されている。そして、外側凹部（82）の底部には、貫通孔（78）と連通する開口が形成されている。尚、この内壁（83）は、本発明に係る包囲部材を構成している。
【００４９】
上記外側凹部（82）は、その内壁（83）がノズル（72）の先端と一定の距離を保つことで、ノズル（72）の露出部（72b）の周りに空気層を形成している。この空気層は絶縁材として機能し、これによって、ノズル（72）の先端に安定した電界が形成される。そして、ノズル（72）の先端は外側凹部（82）の内壁（83）の先端から突出するように形成されている。
【００５０】
上記ノズル（72）は、柔軟な樹脂製の細管状に形成されたノズルである。ノズル（72）は外径が０．３ｍｍから０．４ｍｍの間に形成され、内径が０．１ｍｍから０．２ｍｍの間で形成されている。ノズル（72）は、ノズルベース（74）の貫通孔（78）に挿通されて取り付けられ、先端が外側凹部（82）の内壁（83）の先端より突出して外部に開口する一方、基端側（72a）は、タンク（71）内の最深部の近傍まで延びて溶液に連通している。このノズル（72）の基端側（72a）は、ノズル延伸部を構成している。このノズル（72）の基端側（72a）がタンク（71）内の最深部まで延びることでタンク（71）内の溶液を最後まで使用することができる。
【００５１】
上記電極部材（84）は、金属製の棒状に形成された部材である。電極部材（84）は、一端がタンク（71）内の底部に挿通されて溶液内に浸漬されている。また、電極部材（84）の他端は、タンク（71）の外部まで延びて配置され、高圧ライン（54）の一端が接続されている。つまり、電極部材（84）は、高電圧電源ユニット（50）の出力部（51）と電気的に接続され、タンク（71）内の溶液に高電圧を印加するように構成されている。
【００５２】
以上のように、噴霧カートリッジ（70）は、エアポンプ（41）の空気によってタンク（71）内の溶液をノズル（72）へ搬送する一方、タンク（71）内の溶液に高電圧を印加してノズル（72）の先端に電界を形成することで、ノズル（72）の先端から溶液を連続して霧状に噴射している。この噴霧カートリッジ（70）は、タンク（71）内の溶液が無くなるか、少なくなると交換される。噴霧カートリッジ（70）を取り出す際は、静電噴霧装置（1）を停止し、ケーシング（10）からリアカバー（17）を取り外し、カートリッジホルダ（70a）ごと噴霧カートリッジ（70）を取り出す。噴霧カートリッジ（70）を取り付ける際は、カートリッジホルダ（70a）に噴霧カートリッジ（70）を取り付けた状態で背面開口部（16）から上部機械室（28）内に収容してケーシング（10）に取り付ける。
上記コントローラ（60）は、図３に示すように、静電噴霧装置（1）の噴霧動作を制御するものである。
【００５３】
コントローラ（60）は、第２中央機械室（26）に収容された制御基板（61）上に電源制御部（62）と搬送制御部（63）と停止制御部（64）とを備えている。そして、コントローラ（60）には、圧力センサ（43）、人検知センサ（30）、温湿度センサ（29）、及び動作スイッチ（15）が接続されている。
【００５４】
上記電源制御部（62）は、高電圧電源ユニット（50）から出力される電圧を制御するためのものである。具体的に、電源制御部（62）には、圧力センサ（43）、温湿度センサ（29）、及び人検知センサ（30）の検知データが入力される。そして、電源制御部（62）は、各検知データに基づいて出力部（51）から出力される高電圧を調節する。
【００５５】
また、電源制御部（62）は、交番制御部（62a）と出力時間設定部（62b）とを備えている。交番制御部（62a）は、高電圧電源ユニット（50）の印加電圧の極性を正極性と負極性とに交互に切り換えて、いわゆる交番制御（詳細は後述する）を行うものである。出力時間設定部（62b）には、交番制御における正極性の印加電圧Ｖp（例えば＋３ｋＶ〜＋５ｋＶ程度）の出力時間Ｔpと、負極性の印加電圧（例えば−７ｋＶ〜−４ｋＶ程度）の出力時間Ｔnとが設定される。正極側の出力時間Ｔpは、例えば７秒程度に設定される。負極側の出力時間Ｔnは、例えば４秒程度に設定される。以上のように、本実施形態の交番制御では、正極側の出力時間Ｔpが負極側の出力時間Ｔnよりも長めに設定されている。
【００５６】
上記搬送制御部（63）は、搬送ユニット（40）の溶液の搬送力を制御するためのものである。具体的に、搬送制御部（63）には、圧力センサ（43）、温湿度センサ（29）、及び人検知センサ（30）の検知データが入力される。そして、搬送制御部（63）は、各検知データに基づいてエアポンプ（41）から送られる空気の圧力を調節する。
【００５７】
上記停止制御部（64）は、上述した交番制御において、高電圧電源ユニット（50）の印加電圧の極性が切り換わる直前に、ノズル（72）からの液体の噴霧を一時的に停止させるものである。本実施形態の停止制御部（64）は、印加電圧の極性が切り換わる直前に、高電圧電源ユニット（50）の印加電圧を所定の設定時間Ｔsに亘ってゼロとする。同時に、停止制御部（64）は、印加電圧の極性が切り換わる直前に、エアポンプ（41）の運転を上記設定時間Ｔsに亘って停止させる。停止制御部（64）には、この設定時間Ｔsを設定する停止時間設定部（64a）が設けられている。この設定時間Ｔsは、例えば１秒程度に設定される。
【００５８】
−運転動作−
上記本実施形態の静電噴霧装置（1）の基本的な運転動作について説明する。この静電噴霧装置（1）では、溶液が液糸（リガメント）状態で噴出され、液滴に分裂し、拡散されてユーザに到達する。この静電噴霧装置（1）は、噴霧カートリッジ（70）がケーシング（10）内に収容された状態で運転可能な状態となる。
【００５９】
まず、ユーザが手動でシャッタ（13）をケーシング（10）の背面方向にスライドさせて開けると、シャッタ（13）が動作スイッチ（15）を押してＯＮ状態となる。動作スイッチ（15）がＯＮ状態となると、コントローラ（60）の搬送制御部（63）はエアポンプ（41）を駆動させる。エアポンプ（41）は空気管（42）からタンク（71）内に空気を導入する。タンク（71）内では、空気圧が高くなり、タンク（71）内の溶液が空気に押されてノズル（72）の基端側（72a）から内部に流入する。そして、ノズル（72）の内部に流入した溶液はノズル（72）の先端まで搬送される。
【００６０】
一方で、動作スイッチ（15）がＯＮ状態になると、コントローラ（60）の電源制御部（62）は、高電圧電源ユニット（50）の出力部（51）から高電圧を出力する。高電圧は、電極部材（84）を介してタンク（71）内の溶液に印加される。
【００６１】
そして、ノズル（72）の先端では、電荷を帯びた溶液と対向電極（12）との間に電位差が生じ、電界が発生する。ノズル（72）の先端の溶液は、電界に引っ張られて液糸（リガメント）状態で噴出され、その後、概ね数十μｍから３００μｍ程度の大きさの液滴に分裂する。溶液には電荷が付与されているため、分裂によって互いに斥力が生じて液滴は拡散する。拡散した液滴は、グランドとなるユーザに向かって飛散し、ユーザの顔面に付着する。
【００６２】
また、コントローラ（60）は、動作スイッチ（15）がＯＮ状態であっても、人検知センサ（30）からの検知データに基づいて噴霧動作を制御することもできる。具体的には、人検知センサ（30）がユーザの無しを検知すると、電源制御部（62）は、高電圧の出力を停止する一方、搬送制御部（63）は、エアポンプ（41）の駆動を停止する。さらに、再び人検知センサ（30）がユーザの有りを検知すると、電源制御部（62）は、高電圧の出力を開始する一方、搬送制御部（63）は、エアポンプ（41）の駆動を開始することができる。これによって、ユーザがいない状況での無駄な噴霧を確実に防止することができる。
【００６３】
また、コントローラ（60）は、温湿度センサ（29）の検知データに基づいて適切な噴霧動作に制御することもできる。具体的には、部屋の温湿度状態に応じて、噴霧における液糸（リガメント）の形成条件は異なる。ところが、温湿度センサ（29）の検知データに基づいて、電源制御部（62）が高電圧の出力値を調節し、搬送制御部（63）がエアポンプ（41）の空気圧を調節することで適切な液糸（リガメント）を形成することができる。
【００６４】
〈噴霧動作時の交番制御について〉
上記のような噴霧動作においては、ユーザを噴霧対象物として以下のような交番制御が行われる。この交番制御について詳細に説明する。
【００６５】
噴霧動作時には、電源制御部（62）の交番制御部（62a）によって、高圧電源ユニット（50）の印加電圧が、正極性と負極性とに交互に切り換えられる。具体的に、図１０に示すように、噴霧動作時には、まず、正極側の出力時間Ｔpに亘って、タンク（71）内の液体にＶpの電圧が印加される。これにより、ノズル（72）からはユーザに向かって正の電荷を帯びた液体が噴霧される。その後、負極側の出力時間Ｔnに亘って、タンク（71）内の液体にＶnの電圧が印加される。これにより、ノズル（72）からはユーザーに向かって負の電荷を帯びた液体が噴霧される。以上のように、交番制御では、高圧電源ユニット（50）の印加電圧の極性が交互に切り換えられることで、ノズル（72）から噴霧される液体の極性も交互に変換される。
【００６６】
ノズル（72）から噴霧される液体の極性が正極と負極とに入れ替われると、噴霧対象物となるユーザが一方の電荷（例えばプラスの電荷）にばかり帯電していくことを回避できる。これにより、ユーザの帯電に起因して放電現象が生じて、ユーザが電気的な衝撃を感じてしまうことを防止できる。また、ユーザが一方の極性に帯電してしまうと、噴霧された液体とユーザとの間の電位差が小さくなり、噴霧液をユーザに誘引できなくなる虞がある。しかしながら、上記の交番制御を行うことで、この電位差を充分に確保できるため、噴霧液をユーザ側へ誘引し易くなる。
【００６７】
また、噴霧対象物となるユーザ（人体）は、マイナスの電荷に帯電し易い傾向がある。これに対し、本実施形態では、正極側の出力時間Ｔpを負極側の出力時間Ｔnよりも長く設定しているため、人体がマイナス側にばかり帯電してしまうことを回避できる。
【００６８】
ところで、このような交番制御において、液体に正極性の電圧Ｖpを印加した後、直ぐに負極性の電圧Ｖnを印加すると、ノズル（72）から噴霧された液体が空気中で中和されてしまい、所望とする噴霧動作を行うことができない。具体的には、例えば液体に＋４ｋＶの電圧を印加した状態では、ノズル（72）から正の電荷を帯びた液体が空気中を飛散している。この状態から直ぐに液体に−６ｋＶの電圧を印加したとする。すると、ノズル（72）から噴霧された負の電荷を帯びた液体は、空気中に未だ残存する正の電荷を帯びた液体に向かって引き寄せられる。その結果、両者の液体が電気的に中和されしてまい、噴霧液をユーザ等へ誘引することができなくなる。即ち、中和された液体は、ユーザに到達することなく机等に沈着してしまい、タンク（71）内の液体を無駄に消費してしまうことになる。
【００６９】
本実施形態では、このような噴霧液の無駄な消費を回避すべく、交番制御における電圧極性の切換の直前に、ノズル（72）からの液体の噴霧を一時的に停止させるようにしている。具体的には、図１０に示すように、停止制御部（64）は、正極側の出力時間Ｔpが経過すると、その後に設定時間Ｔsに亘って、高電圧電源ユニット（50）の印加電圧をゼロとする。これに連動して、停止制御部（64）は、設定時間Ｔsに亘ってエアポンプ（41）のポンプ動作を停止させる。これにより、設定時間Ｔsの間は、ノズル（72）からの液体の噴霧が停止される。
【００７０】
このようにノズル（72）からの液体の噴霧を一時的に停止させると、この設定時間Ｔsにおいて、その直前に噴霧された液体（正の電荷を帯びた液体）をユーザ等の噴霧対象物へ到達させることができる。よって、設定時間Ｔsの経過後の出力時間Ｔn中において、ノズル（72）から負の電荷を帯びた液体が噴霧されても、この液体が中和されることがない。従って、出力時間Ｔnの間においても、噴霧液を確実に噴霧対象物へ供給できる。
【００７１】
負極側の出力時間Ｔnが経過すると、停止制御部（64）は、その後に設定時間Ｔsに亘って、高電圧電源ユニット（50）の印加電圧をゼロとする。これに連動して、停止制御部（64）は、設定時間Ｔsに亘ってエアポンプ（41）のポンプ動作を停止させる。これにより、設定時間Ｔsの間は、ノズル（72）からの液体の噴霧が停止される。
【００７２】
このようにノズル（72）からの液体の噴霧を一時的に停止させると、この設定時間Ｔsの間においても、既に噴霧された液体（負の電荷を帯びた液体）をユーザ等の噴霧対象物へ到達させることができる。よって、設定時間Ｔsの経過後の出力時間Ｔp中において、ノズル（72）から正の電荷を帯びた液体が噴霧されても、この液体が中和されることがない。従って、この出力時間Ｔpの間においても、噴霧液を確実に噴霧対象物へ供給できる。
【００７３】
−実施形態の効果−
上記実施形態によれば、交番制御において、電源電圧ユニット（50）の印加電圧の極性を切り換える直前に、ノズル（72）からの液体の噴霧を一時的に停止させている。このため、空気中で液体が電気的に中和してしまうのを確実に防止でき、この液体を確実にユーザ等へ誘引することができる。また、交番制御における印加電圧の極性の切換毎に、噴霧液を無駄に消費してしまうことを回避できる。従って、タンク（71）内の液体の消費量を抑えることができ、噴霧カートリッジ（70）の交換頻度も低減できる。
【００７４】
また、上記実施形態では、設定時間Ｔsにおいて、印加電圧をゼロにすると同時にエアポンプ（41）のポンプ動作も停止させている。このため、設定時間Ｔsにおいて、ノズル（72）から液が垂れ落ちることも防止でき、液体の無駄な消費を確実に抑えることができる。
【００７５】
〈その他の実施形態〉
本発明は、上記実施形態について、以下のような構成としてもよい。
【００７６】
上記実施形態では、噴霧させる溶液としてヒアルロン酸を含んだ溶液を用いたが、本発明は、それに限られず、例えば温泉水やテアニンの水溶液を用いてもよい。その他、カテキンやプロアントシアニジン等の抗酸化剤の水溶液を用いてもよい。
【００７７】
上記実施形態では、電源電圧ユニット（50）の印加電圧の極性を切り換える直前に、印加電圧をゼロにすると同時にエアポンプ（41）のポンプ動作も停止させている。しかしながら、電源電圧ユニット（50）の印加電圧の極性を切り換える直前に印加電圧をゼロとするだけでもよく、逆にエアポンプ（41）のポンプ動作を停止させるだけでもよい。これらの場合にも、印加電圧の極性の切換毎にノズル（72）の先端からの液体の噴霧を一時的に停止させることができるため、液体の無駄な消費を抑制できる。
【００７８】
また、上記実施形態では、交番制御において、印加電圧をゼロとする期間と、ポンプ動作を停止する期間とを完全に一致させている。しかしながら、印加電圧をゼロとする期間に対して、ポンプ動作を停止する期間を若干長めに設定してもよい。これにより、次のポンプ動作を再開するタイミングでは、既に液体に正極性又は負極性の電圧が印加される状態となる。従って、ポンプ動作の再開時に、ポンプ圧によってノズル（72）の先端から液体が垂れてしまうことを確実に回避できる。
【００７９】
尚、以上の実施形態は、本質的に好ましい例示であって、本発明、その適用物、あるいはその用途の範囲を制限することを意図するものではない。
【産業上の利用可能性】
【００８０】
以上説明したように、本発明は、静電噴霧装置に関し、特に噴霧液の無駄な消費を防止する対策について有用である。
【符号の説明】
【００８１】
40    液体ユニット（液体搬送部）
50    高電圧電源ユニット（電圧印加部）
62    電源制御部
64    停止制御部
71    タンク（貯留部）
72    ノズル
【図１】
0005585376.tif 000002
【図２】
0005585376.tif 000003
【図３】
0005585376.tif 000004
【図４】
0005585376.tif 000005
【図５】
0005585376.tif 000006
【図６】
0005585376.tif 000007
【図７】
0005585376.tif 000008
【図８】
0005585376.tif 000009
【図９】
0005585376.tif 000010
【図１０】
0005585376.tif 000011